(57)【特許請求の範囲】
【請求項１】
歯付き切断機構を有する理髪装置であって、
当該歯付き切断機構が、所定の歯の列の方向に延在し、かつ多数の切断歯を具える第一の歯の列を有する第一の歯付きカッターおよび、所定の歯の列の方向に延在し、かつ多数の切断歯を具える第二の歯の列を有する第二の歯付きカッターを具え、
これら二つの歯付きカッターが所定のストロークで互いに相対的に往復駆動可能であり、
またこれら二つの歯付きカッターがこれらのカッター歯の列の領域で互いに対向して配置され、かつこれら二つの歯付きカッターが、当該歯の列から離れた領域において、その歯の列の方向と交差する方向に、少なくとも一つの支持リムを有し、
前記支持リムは互いに対をなして対面し、かつ前記歯の列の方向に所定の大きさを有し、
前記二つの歯付きカッターが低摩擦材料の中間要素を支持し、
当該中間要素は二つの対向する支持リムの間に介挿される少なくとも一つの中間要素部分を具え、この中間要素部分によって前記歯付きカッターの内一方の、少なくとも一つの支持リムが、他方の歯付きカッターの少なくとも一つの支持リム上で動作し、また前記中間要素部分が前記歯の列の方向に所定の大きさを有する理髪装置において、
前記二つの歯付きカッターの内の一方に支持される前記中間要素の中間要素部分の少なくとも一つが、前記歯付きカッターの方向において、他方の歯付きカッターの少なくとも一つの支持リムよりも大きさが小さく、
前記他方の歯付きカッターの少なくとも一つの支持リムが少なくとも一つの中間要素部分と対向することを特徴とする理髪装置。
【請求項２】
請求項１記載の装置において、
前記二つの歯付きカッターの内の一方に支持される中間要素の中間要素部分の少なくとも一つが、前記歯付きカッターの方向に、前記二つの歯付きカッターの間のストロークに少なくとも等しい量の、他方の歯付きカッターの支持リムの少なくとも一つの大きさよりも小さい大きさを有し、
前記他方の歯付きカッターの少なくとも一つの支持リムが少なくとも一つの中間要素部分と対向することを特徴とする理髪装置。
【請求項３】
請求項１記載の装置において、
前記中間要素が、主にシリコンおよびポリテトラフルオロエチレンを埋め込んだポリアミドからなることを特徴とする理髪装置。
【請求項４】
請求項１記載の装置において、
前記二つの歯付きカッターが、それぞれ前記歯の列の方向に離間した二つの支持リムを有することを特徴とする理髪装置。
【請求項５】
請求項４記載の装置において、
前記中間要素が略Ｕ字形をなし、かつ、前記歯の列の方向に略直角に延在二つの中間要素リムおよび、前記歯の列の方向に略平行に延在し、前記二つの中間要素リムを相互接続する中間要素基部を具え、
前記二つの中間要素リムの自由端部が、それぞれ前記二つの支持リムの間の中間要素部分として介挿されることを特徴とする理髪装置。
【請求項６】
請求項５記載の装置において、
前記Ｕ字形の中間要素の二つの中間要素リムが、それぞれ略Ｕ字形のホルダーと一体に接続し、それによって、各当該中間要素リムと、これと一体に接続した略Ｕ字形のホルダーとの間に通路が形成され、
前記各通路は、前記中間要素を保持するために、前記中間要素を支持する歯付きカッターの支持リムと係合することを特徴とする理髪装置。
【請求項７】
理髪装置用の歯付き切断機構であって、
所定の歯の列の方向に延在し、かつ多数の切断歯を具える第一の歯の列を有する第一の歯付きカッターおよび、所定の歯の列の方向に延在し、かつ多数の切断歯を具える第二の歯の列を有する第二の歯付きカッターを具え、
これら二つの歯付きカッターが所定のストロークで互いに相対的に往復駆動可能であり、
またこれら二つの歯付きカッターがこれらのカッター歯の列の領域で互いに対向して配置され、かつこれら二つの歯付きカッターが、当該歯の列から離れた領域において、その歯の列の方向と交差する方向に、少なくとも一つの支持リムを有し、
前記支持リムは互いに対をなして対面し、かつ前記歯の列の方向に所定の大きさを有し、前記二つの歯付きカッターが低摩擦材料の中間要素を支持し、
当該中間要素は二つの対向する支持リムの間に介挿される少なくとも一つの中間要素部分を具え、この中間要素部分によって前記歯付きカッターの内一方の、少なくとも一つの支持リムが、他方の歯付きカッターの少なくとも一つの支持リム上で動作し、また前記中間要素部分が前記歯の列の方向に所定の大きさを有する歯付き切断機構において、
前記二つの歯付きカッターの内の一方に支持される前記中間要素の中間要素部分の少なくとも一つが、前記歯付きカッターの方向において、他方の歯付きカッターの少なくとも一つの支持リムよりも大きさが小さく、
前記他方の歯付きカッターの少なくとも一つの支持リムが少なくとも一つの中間要素部分と対向することを特徴とする理髪装置用歯付き切断機構。
【請求項８】
請求項７記載の機構において、
前記二つの歯付きカッターの内の一方に支持される中間要素の中間要素部分の少なくとも一つが、前記歯付きカッターの方向に、前記二つの歯付きカッターの間のストロークに少なくとも等しい量の、他方の歯付きカッターの支持リムの少なくとも一つの大きさよりも小さい大きさを有し、
前記他方の歯付きカッターの少なくとも一つの支持リムが少なくとも一つの中間要素部分と対向することを特徴とする理髪装置用歯付き切断機構。
【請求項９】
請求項７記載の機構において、
前記中間要素が、主にシリコンおよびポリテトラフルオロエチレンを埋め込んだポリアミドからなることを特徴とする理髪装置用歯付き切断機構。
【請求項１０】
請求項７記載の機構において、
前記二つの歯付きカッターが、それぞれ前記歯の列の方向に離間した二つの支持リムを有することを特徴とする理髪装置用歯付き切断機構。
【請求項１１】
請求項１０記載の機構において、
前記中間要素が略Ｕ字形をなし、かつ、前記歯の列の方向に略直角に延在二つの中間要素リムおよび、前記歯の列の方向に略平行に延在し、前記二つの中間要素リムを相互接続する中間要素基部を具え、
前記二つの中間要素リムの自由端部が、それぞれ前記二つの支持リムの間の中間要素部分として介挿されることを特徴とする理髪装置用歯付き切断機構。
【請求項１２】
請求項１１記載の機構において、
前記Ｕ字形の中間要素の二つの中間要素リムが、それぞれ略Ｕ字形のホルダーと一体に接続し、それによって、各当該中間要素リムと、これと一体に接続した略Ｕ字形のホルダーとの間に通路が形成され、
前記各通路は、前記中間要素を保持するために、前記中間要素を支持する歯付きカッターの支持リムと係合することを特徴とする理髪装置用歯付き切断機構。
【発明の詳細な説明】
本発明は、歯付き切断機構を有する理髪装置であって、当該歯付き切断機構が、所定の歯の列の方向に延在し、かつ多数の切断歯を具える第一の歯の列を有する第一の歯付きカッターおよび、所定の歯の列の方向に延在し、かつ多数の切断歯を具える第二の歯の列を有する第二の歯付きカッターを具え、これら二つの歯付きカッターが所定のストロークで互いに相対的に往復駆動可能であり、またこれら二つの歯付きカッターがこれらのカッター歯の列の領域で互いに対向して配置され、かつこれら二つの歯付きカッターが、当該歯の列から離れた領域において、その歯の列の方向と交差する方向に、少なくとも一つの支持リムを有し、前記支持リムは互いに対をなして対面し、かつ前記歯の列の方向に所定の大きさを有し、前記二つの歯付きカッターが低摩擦材料の中間要素を支持し、当該中間要素は二つの対向する支持リムの間に介挿される少なくとも一つの中間要素部分を具え、この中間要素部分によって前記歯付きカッターの内一方の、少なくとも一つの支持リムが、他方の歯付きカッターの少なくとも一つの支持リム上で動作し、また前記中間要素部分が前記歯の列の方向に所定の大きさを有する理髪装置に関するものである。
本発明はまた、理髪装置用の歯付き切断機構であって、所定の歯の列の方向に延在し、かつ多数の切断歯を具える第一の歯の列を有する第一の歯付きカッターおよび、所定の歯の列の方向に延在し、かつ多数の切断歯を具える第二の歯の列を有する第二の歯付きカッターを具え、これら二つの歯付きカッターが所定のストロークで互いに相対的に往復駆動可能であり、またこれら二つの歯付きカッターがこれらのカッター歯の列の領域で互いに対向して配置され、かつこれら二つの歯付きカッターが、当該歯の列から離れた領域において、その歯の列の方向と交差する方向に、少なくとも一つの支持リムを有し、前記支持リムは互いに対をなして対面し、かつ前記歯の列の方向に所定の大きさを有し、前記二つの歯付きカッターが低摩擦材料の中間要素を支持し、当該中間要素は二つの対向する支持リムの間に介挿される少なくとも一つの中間要素部分を具え、この中間要素部分によって前記歯付きカッターの内一方の、少なくとも一つの支持リムが、他方の歯付きカッターの少なくとも一つの支持リム上で動作し、また前記中間要素部分が前記歯の列の方向に所定の大きさを有する歯付き切断機構に関するものでもある。
第一のパラグラフで定義した形式の装置、および第二のパラグラフで定義した形式の切断機構は、例えばドイツ特許出願公開明細書第2646818号より公知である。この公知の装置および公知の切断機構においては、二つの歯付きカッターがそれぞれ、その歯の列の方向と交差する方向に、カッター歯の列から離れた領域に単一の支持リムを有し、この各支持リムは歯の列の方向に、前記二つのカッターそれぞれの全体長さと一致する、厳密に等しい長さを有する。この公知の装置および公知の歯付き切断機構において、低摩擦材料の中間部材が、装置の動作時には静止する非駆動側の歯付きカッターと接続している。この中間部材は合成材料からなる。この公知の装置および公知の歯付き切断機構において、中間要素が一方の歯付きカッター、すなわち静止側の歯付きカッターと、他方の歯付きカッター、すなわち駆動側の歯付きカッターの、歯の列の方向にこのカッターと同じ大きさを有する支持リムとに支持されると言う事実により、動作時において、連続的な繰り返し状態が生じ、歯の列の方向に離間する支持リムの二つの端部それぞれが静止側の歯付きカッターに支持される中間要素と接触するようになり、それによって前記支持リムの端部は中間要素を越えるまで、さらにはこの要素の端部を越えて移動する。この過程は、駆動側の歯付きカッターの支持リムの端部による中間部材の摩耗をもたらし、その結果として歯付き切断機構が二つの支持リムおよび中間要素の領域で、静止側の歯付きカッターに支持される中間要素と駆動側の歯付きカッターの支持リムとの間で発生しうる、摩擦により削り取られた材料によって汚染されるようになり、それによって前記中間要素と前記駆動側歯付きカッターとの間で不所望の摩擦の増加が生じる。さらに、中間要素の摩耗の結果として、中間要素の二つの端部において、この中間要素と駆動側の歯付きカッターとの間の、歯付き切断機構のこれら二つの部材の中央領域での表面圧力が比較的強く増加し、それによってもこれら二つの部材の間の不所望な摩擦の増加が生じる。
本発明の目的は、上記の問題点を取り除き、第一のパラグラフで定義した形式の理髪装置と、第二のパラグラフで定義した形式の歯付き切断機構を改良し、さらに二つの歯付きカッターの一方に支持される中間要素と二つの歯付きカッターの他方の支持リムとの間の摩擦を、長時間の使用の後にも増加させない改良した理髪装置および歯付き切断機構を提案することである。
本発明によれば、上記の目的を達成するため、第一のパラグラフで定義した形式の装置は、二つの歯付きカッターの内の一方に支持される中間要素の中間支持部分の少なくとも一つが、歯付きカッターの方向において、他方の歯付きカッターの少なくとも一つの支持リムよりも大きさが小さく、他方の歯付きカッターの少なくとも一つの支持リムが少なくとも一つの中間要素支持部と対向することを特徴とする。本発明によるこれら特徴に基づき、非常に単純な方法かつ何ら追加の投資をすること無く、すなわち低コストで、装置の動作の間に歯付きカッターの支持リムの端部が、歯付きカッターに支持される中間要素の中間要素部分と全く接触しなくなる、あるいはほんのわずかなだけ接触するため、支持リムの自由端による中間要素部分の摩耗は生ぜず、その結果中間要素から摩耗により削られた材料は発生せず、それゆえ中間要素部分および中間要素部分に位置する支持リムの領域での歯付き切断機構の汚染が無く、したがって中間要素部分と、この中間要素部分と協動する支持リムとの間の摩擦の増加を生じさせる、可能性のある欠点が取り除かれる。
請求項１で定義した特徴を有する本発明に係る装置において、従属請求項２で定義した特徴を追加して適用すれば、さらに有利であることは明らかである。このことは、中間要素部材と協動する支持リムの端部による中間要素部分の摩耗を防ぐことを十分保証するものである。
請求項１で定義した特徴を有する本発明に係る装置において、従属請求項３で定義した特徴を追加で適用すれば、さらに有利であることは明らかである。このような中間要素の構成が、他の材料からなる中間要素と比較して特に有利であることは実験により証明されている。なぜならば、このような中間要素により非常に低い摩擦値が得られるからである。請求項３で定義された特徴が、従属請求項２で定義された特徴を有する本発明に係る装置にも適用できることに注意すべきである。
請求項１で定義した特徴を有する本発明に係る装置において、従属請求項４で定義した特徴を追加で適用すれば、さらに有利であることは明らかである。各歯付きカッターにおいて単一の支持リムを使用する構成と比較して、本発明に係る装置の構成が有利であることは明らかである。なぜならば、各歯付きカッターのための、歯の列の方向に離間した二つの比較的短い支持リムによって、より低い摩擦値を得ることができるからである。請求項４で定義された特徴が、従属請求項２および３で定義された特徴を有する本発明に係る装置にも適用できることに注意すべきである。
請求項４で定義した特徴を有する本発明に係る装置において、従属請求項５で定義した特徴を追加で適用すれば、さらに有利であることが明らかである。こうした構成が、二つの対向する支持リム対の間の中間要素部分の、非常に単純な取り付けに有利であることは明らかである。
請求項５で定義した特徴を有する本発明に係る装置において、従属請求項６で定義した特徴を追加で適用すれば、さらに有利であることが明らかである。このことは、中間要素が、中間要素を設けた歯付きカッターに固定できることを保証する。
本発明によれば、上述した目的を達成するために、第二のパラグラフで定義した形式の歯付き切断機構は、二つの歯付きカッターの内の一方に支持される中間要素の中間支持部分の少なくとも一つが、前記歯付きカッターの方向において、他方の歯付きカッターの少なくとも一つの支持リムよりも大きさが小さく、前記他方の歯付きカッターの少なくとも一つの支持リムが少なくとも一つの中間要素支持部と対向することを特徴とする。それゆえ、本発明に係る歯付き切断機構のために、前述した、請求項１で定義した特徴を有する本発明に係る装置と同等の利点が得られることとなる。
請求項８〜１２で定義された特徴を有する本発明に係る歯付き切断機構の有利な変形例は、前述した、請求項２〜６で定義した特徴を有する本発明に係る装置の変形例と同等の利点を有する。
前述した特徴のみならず、本発明のさらなる特徴は、例示によって後述する実施例により明らかとなり、またこの実施例によって説明されよう。
本発明を、図面および例示により与えられた実施例を参照して、より詳細に説明するが、本発明はこれに限定されるものではない。
図１は、本発明による、一端に歯付き切断機構を設けた理髪装置の斜視図である。
図２は、図１に示す装置の歯付き切断機構の分解図である。
図３は、図１に示す装置の歯付き切断機構を組み立てた状態の平面図である。
図４は、図２に示す装置の歯付き切断機構の、図１のIV-IV線に沿った断面図である。
図１は、理髪用の装置１を示し、この装置はしばしばヘアトリマとも称されるものである。本装置１はハウジング２を有し、このハウジング２は、人間工学的に好ましい構造を達成するために湾曲した、あるいは折れ曲がった形状が与えられている。ハウジング２の背面領域にはボタン３が配置され、このボタン３は複数の位置の間をスライド可能であり、また装置１の図示しない櫛アタッチメントの調整を行うために複数の異なる位置の間を動作させることができる。本装置１のハウジング２は、こうした櫛アタッチメントの案内部材を収容するために設けられた二つの案内路を有し、図１ではその内一つ案内路４のみが見えている。ハウジング２の腹部領域には、さらに別のボタン５が配置され、このボタン５は二つのスイッチ位置の間をスライド可能なon/offボタンである。スライド式ボタン５によって、装置１のハウジング内に収納した電動モータがスイッチオン状態およびスイッチオフ状態となることができる。電動モータは駆動機構を駆動するために設けられているが、駆動機構の機能については後に簡潔に述べる。
ハウジング２の端部６の位置において、装置１は歯付き切断機構７を具える。歯付き切断機構７の構成については、図２，３および４を参照して後に詳細に説明する。
歯付き切断機構７は合成材料製のカッター支持部８を具える。カッター支持部８は略板状の基部９を有し、その平坦な外面9Aは、装置１の使用中には使用者の皮膚上に位置させることができる。３個の位置決め用突起10，11および12が、基部９の内側から突出している。第一の歯付きカッターは、これら３個の位置決め用突起10，11および12上に取り付けることができ、このとき、これら位置決め用突起10，11および12は第一の歯付きカッター13の３個の位置決め穴14，15および16と係合する。それによって、第一の歯付きカッター13は、３個の位置決め用突起10，11および12によって基部９上に固定して取り付けられる。したがって、第一の歯付きカッター13は固定式歯付きカッターであり、装置１および歯付き切断機構７の動作中には静止している。
第一の歯付きカッター13は鋼、好ましくはクロム鋼製であり、カッター歯の列18を有する。カッター歯の列18は、図２および３で両方向の矢印17で示す歯の列の方向に延在し、多数のカッター歯19を具える。図２および３では、簡単のために前記カッター歯19の内一つのみを示している。この領域、すなわちカッター歯の方向17と交差する方向において、カッター歯の列189から離れて、第一の歯付きカッター13は二つの支持リム20および21を具え、これら支持リムはカッター歯の方向17に離間している。歯付き切断機構７を組み立てた状態において、支持リム20および21は、それぞれ支持ブロック22および23に支持されている。二つの支持ブロック22および23はカッター支持部８の基部９より突出している。歯の列の方向17において、第一の歯付きカッター13の二つの支持リム20および21は所定の大きさ、すなわち図２に示すように長さL1を有する。
歯付き切断機構７は第二の歯付きカッター24を具える。第二の歯付きカッター24もまた、例えばクロム鋼製であり、第二のカッター歯の列25を具える。第二のカッター歯の列25もまた歯の列の方向17に延在し、多数のカッター歯26を有する。第二の歯付きカッター24は往復ブリッジ27に固定されて接続し、ブリッジ27は合成材料製であり、二つの一体化したヒンジ28および29によって二つの取り付けアーム30および31が一体となって取り付けられている。取り付けアーム30および31は、それぞれ略半円形の端部32および33を有する。二つの端部32および33によって、二つの取り付けアーム30および31はカッター支持部８の基部９より突出する二つの取り付け用突起34および35と接続する。往復ブリッジ27は、さらに駆動フォーク36を具え、この駆動フォーク36は装置１の前述した駆動機構の駆動部材と係合し、駆動機構は装置１の電動モータにより駆動することができる。それゆえ往復ブリッジ27は装置１のモータによって駆動することができる。往復ブリッジが駆動されるとき、ブリッジ27は、略前記歯の列の方向に向かう往復運動をなし、取り付けアーム30および31は静止し、往復ブリッジ27の移動性は一体化したヒンジ28および29によって与えられる。往復ブリッジ27により、このブリッジに固定されて接続する第二の歯付きカッター24は、固定されている第一の歯付きカッター13に対して所定のストロークＨで往復動可能となる。ストロークＨは、例えばＨ＝2.8mmの値を取ることができる。
歯付き切断機構はばね機構37をさらに具え、このばね機構37は線材から製造され、またこの線材は鋼、好ましくはクロム鋼、またはこれに代わってばね青銅より製造される。ばね機構37は略Ｕ字形の中央部38と、巻いたばね部39および40とを具え、ばね部39，40はＵ字形の中央部の二つのリムと接続し、数回巻かれている。また二つの曲げ端部41および42が各ばね部39および40より突出している。ばね機構37は以下のように構成される。すなわち、中央部38によって、これと反対側にある二つの端部が、互いに向かって移動する傾向にあるようになされている。ばね機構37の中央部38は、カッター支持部８の基部９から突出するホルダー43内に収容される。二つの端部41および42は往復ブリッジ27を作動させ、二つの端部41および42の自由端は、図３に見られるように往復ブリッジ27のスロット44および45と係合する。ばね機構37、すなわち、その中央部38がカッター支持部８の基部９のホルダー43に収容され、端部41および42が往復ブリッジ27のスロット44および45と係合するばね機構によって、二つの歯付きカッター13および14は所定のばね力で互いに向き合う方向に付勢され、その結果として二つの歯付きカッター18および25は、これらのカッター歯の列18および25の領域において向かい合って位置する。
第一の歯付きカッター13と同様に、第二の歯付きカッター24は二つの支持リム46および47を具え、これらリムはカッター歯の方向17に離間している。歯の列の方向17において、二つの支持リム46および47は、それぞれ所定の大きさ、すなわち図２に示すように長さL2を有する。第一の歯付きカッター13の支持リム20および21は、第二の歯付きカッター24の支持リム46および47と互いに向き合っている。すなわち、向かい合うリムの対が、支持リム20と46、および21と47により形成されている。
歯付き切断機構７において、第二の歯付きカッター24、すなわち往復動可能な歯付きカッター24の二つの歯付きカッター13および24には、低摩擦材料の中間要素48が取り付けられている。中間要素48は二つの中間要素部分49および50を具え、これらは、二組の対面する支持リム20，46および21，47の間にそれぞれ介挿されている。第二の歯付きカッター24の支持リム46および47は、それぞれ対向する第一の歯付きカッター13の支持リム20および21上で、それぞれ中間要素部分49および50を介して動作する。二つの中間要素部分49および50はまた、歯の列の方向17に所定の大きさ、すなわち図２に示すように長さL3を有する。
本装置１、すなわち本装置１の歯付き切断機構７において、その構成は以下のような有利な工夫がなされている。すなわち、中間要素48の各中間要素部分49および50は、第二の歯付きカッター24によって支持されている。第二の歯付きカッター24は、歯の列の方向17において第一の歯付きカッター13の各支持リム20または21よりも長さが短い。各支持リム20または21は、中間要素部分49または50とそれぞれ対向している。本例においては、二つの長さL1およびL3は以下のように選ばれる。すなわち、第二の歯付きカッター24に支持される中間要素48の二つの中間要素部分49および50それぞれの歯の列の方向での大きさは、少なくとも二つの歯付きカッター13と24との間のストロークＨと等しい量になるように、これら中間要素部分49または50とそれぞれ対向する第一の歯付きカッター13の支持リム20または21よりも小さくする。第一の歯付きカッター13に対する第二の歯付きカッター24のストロークＨの場合は、例えばＨ＝2.8mmであり、二つの支持リム20および21の長さL1は例えばL1＝8.0mmとすることができ、また長さL3は例えば5.2mmとすることができる。しかしながら、本例では、この他、長さを8.2mmまたは8.5mmとすることもできる。最後に述べた例では、上の値に代わってL3を5.0mmまたは4.7mmとすることができる。しかしながら、以下のことが明らかに注目すべきである。すなわち、L1の長さが8.0mmで中間が2.8mmの前記例においては、長さL3は、支持リム20および21に対して中間要素部分49および50の長さがより短いことによる利点を失うこと無しに、5.4mmまたはちょうど5.6mmを取ることもできる。
中間要素48に関して、以下のことに注意したい。すなわち、この中間要素48は、主にシリコンおよびポリテトラフルオロエチレンを埋め込んだポリアミドからなることである。このような中間要素48は、その中間要素部分49および50が、鋼製の第一の歯付きカッター13の鋼製支持リム20および21と協同する際に、特に低い摩擦値（friction values）を示す。もしポリアミドがポリアミド6.6である場合、非常に有利なことが示されることに注意したい。さらに、もし中間要素48が主にポリアミド、好ましくはポリアミド6.6であり、これに加えてシリコンおよびポリテトラフルオロエチレンのガラスビーズ、ガラス繊維または炭素繊維を埋め込んだものである場合にも、非常に有利なことが示される。
中間要素48については、以下のことにも注意したい。すなわち、中間要素48は略Ｕ字形であり、また歯の列の方向17に対して略直角に延在する二つの中間要素リム51および52と、歯の列の方向17に対して略平行に延在し、前記二つの中間要素リム51および52と接続する中間要素基部53とを具えることである。二つの中間要素リム51および52の自由端部は、このとき、それぞれ中間要素部分49および50として二つの支持リムの組20と46、または21と47の間に介挿される。さらに図２より明らかなように、Ｕ字形の中間要素48の二つの中間要素リム51および52は、それぞれ略Ｕ字形のホルダー54または55と一体に接続している。これらの接続は、各中間要素リム51および52と、これらと一体となったホルダー54または55との間に通路56または57が形成されるようになされている。各通路56または57は、中間要素48を保持するため、中間要素48を支持する第二の歯付きカッター24の支持リム46または47と係合する。こうした構成は以下の利点を有する。すなわち中間要素48が第二の歯付きカッター24の二つの支持リム46および47上を歯の列の方向17の方向に単純にスライドでき、また二つのリム46および47が、これらの自由端部が中間要素リム51および52の端部から突出する止め部58および59に当接するまで前記二つの通路56および57を貫通することである。
完全を期するために、以下のことに注意したい。すなわち、カッター支持部８の、二つの歯の列18および25から離間している側の端部において、カッター支持部８の基部９は部材60を支持し、この部材60は、その自由端の領域で軸回転機構の一部を支持し、他端は本装置１のハウジング２上に配置されていることである。この軸回転機構によって、カッター支持部８および、その結果として歯付き切断機構７全体が、ハウジング２と軸回転可能に連結する。これにより、歯付き切断機構７は、ハウジング２から離れて、歯付き切断機構７が本装置１のハウジング２上へ揺動する、図１に示す動作位置から、歯付きカッター13および24並びに往復ブリッジのような他の部品を清掃することができるようにアクセス可能となる、図示しない清掃位置へと軸回転可能となる。
前述した装置１および前述した歯付き切断機構７において、特に単純な方法で、かつ実質的に何ら追加の手段無しに、中間要素48の中間要素部分49および50は、常に第一の歯付きカッター13の支持リム20および21と完全に接触し、これが支持リム20および21の、中間要素部分49および50の領域における中間部材48による摩耗を避けることが達成される。このことは、歯付き切断機構７の、支持リム20および21、46および47、並びに中間要素48の領域、すなわち中間要素部分49および50での、中間部材の摩擦する材料による汚染を防ぐこととなり、これは以下の利点を有する。すなわち中間要素部分49および50と、支持リム20および21との間の摩擦の値が維持されて摩擦の値の増加が避けられ、長い動作時間の後でさえ支持リムの位置での潤滑を必要とすること無しに、第二の歯付きカッター24の滑らかな駆動が維持されることが保証される。
本発明は、上述の例で述べた理髪装置の実施例に限定されるものではない。本発明に係る手段は、ひげのトリマーのみならず、歯付き切断機構を有するひげ剃り装置にも、利点を有して適用することができる。本発明に係る手段はまた、それぞれ一つの支持リムのみを有する二つの歯付きカッターを具える歯付き切断装置にも適用可能である。さらに、例えばそれぞれ三個の支持リムを有し、これら支持リムが互いに対になって対向する、二つの歯付きカッターにも適用可能である。ここで例示によって述べた実施例に係る装置１の歯付き切断機構７において、分離型のカッター支持部８は合成樹脂から製造する。しかしながら、このことは必須の要件ではない。なぜならば、歯の列に隣接する静止した歯付きカッターは、同時にカッター支持部としても作用するような構成とすることができるからである。ここで例示によって述べた実施例に係る装置１の歯付き切断機構７において、固定した歯付きカッター13全体を鋼で製造する。このことは必須の要件ではない。なぜならば、固定した歯付きカッター13は、カッター歯の列の領域のみを鋼で製造することができ、これに隣接する鋼製カッター部分を好ましくは寸法方向に静止し、比較的硬質の樹脂からなる他のカッター部分で構成することができ、この他のカッター部分は鋼製カッター部分と固定して接続し、固定した歯付きカッターの合成樹脂製の他の部分が、駆動可能な歯付きカッターで支持される中間要素の中間要素部材と協同するための少なくとも一つの支持リムを有するからである。同様に、この場合、合成樹脂製の他のカッター部分は、同時にカッター支持部として働くようにしても良い。本発明による装置のさらなる変形例または本発明による歯付き切断機構において、中間要素はドイツ特許出願公開明細書第2646818号により公知となっているような固定した歯付きカッターに支持されるようにすることも可能である。
【図１】
0004159612.tif 000002
【図２】
0004159612.tif 000003
【図３】
0004159612.tif 000004
【図４】
0004159612.tif 000005